(57)【要約】      （修正有）【課題】筒状広告体を内方より簡易に保形支持して安定的に自立させることができ、分解、組立を繰り返すことなく搬送でき、かつ広告体としてすっきりとした形状に形成できるポップアップ広告体を提供する。【解決手段】筒状広告体３と、弾性体３０を有して筒状広告体３の内部空間内より筒状広告体３を保形支持する内部保形支持体２とを組み合わせたホップアップ広告体１を構成する。又、内部保形支持体２は、それぞれの板片を折り曲げて形成した１組の筒体の一側面同士の一部を固定して形成された筒形構造体となっており、１組の筒体の一側面はそれぞれの板片の側端間に弾性体３０を掛け渡して伸縮変形可能な芯板Ａを構成する。さらに、弾性体３０の弾性力に抗して押圧保持することで芯板Ａが伸長して内部保形支持体２を薄板状に変形可能としている。【選択図】図１
0003163481.tif 000002
【実用新案登録請求の範囲】
【請求項１】
外面に広告情報を記して成る筒状広告体と、弾性体を有して該筒状広告体の内部空間内に収蔵され、該筒状広告体を内方から保形支持するようにした内部保形支持体とを組み合わせて構成されたホップアップ広告体であって、
前記内部保形支持体は、それぞれの板片を折り曲げて形成した1組の筒体の一側面同士の一部を固定して形成された筒形構造体となっており、
前記1組の筒体の一側面は、それぞれの板片の側端間に弾性体を掛け渡して、伸縮変形可能な芯板を構成しており、該弾性体の弾性力に抗して押圧保持することで該芯板が伸長して前記内部保形支持体を薄板状に変形可能としていることを特徴とする、ホップアップ広告体。
【請求項２】
請求項１において、
前記芯板は、それぞれの板片の両側端の上下方向のずれを規制する、ずれ規制部をさらに備えている、ホップアップ広告体。
【請求項３】
請求項１または２において、
前記筒状広告体の内部空間内に複数の内部保形支持体が収蔵される構成となっている、ホップアップ広告体。
【請求項４】
請求項１〜３のいずれかにおいて、
前記内部保形支持体は、筒形構造体の対向する頂点部のそれぞれに支持脚を更に設けた形状にしている、ポップアップ広告体。
【請求項５】
請求項１〜４のいずれかにおいて、
前記弾性体は、輪ゴムで構成されている、ポップアップ広告体。
【考案の詳細な説明】
【技術分野】
【０００１】
本考案は、外面に広告情報を記して成る筒状広告体を自立可能な状態に保形支持するようにしたポップアップ広告体に関する。
【背景技術】
【０００２】
従来、この種の広告体として、例えば特許文献１のものが提案されている。
【０００３】
このものは、筒状の広告体を台座に固定して立体的に起立保持できるようになっており、台座は筒状広告体の下端開口よりも大きい平板状のベース部の中央に固定片を備えて、その下端開口に内嵌できる構造となっている。
【０００４】
筒状広告体を台座に取り付けた状態では、ベース部の面積が十分に大きいため、広告塔を安定的に維持させることができる。
【先行技術文献】
【特許文献】
【０００５】
【特許文献１】特開２００７−２８６４３７号公報
【考案の概要】
【考案が解決しようとする課題】
【０００６】
しかしながら、筒状広告体と台座とが連結された状態では立体的な形状となっているから、そのままでは持ち運びが困難で、そのため移動して使用する場合には、そのつど分解、組立をしなければならず、取り扱いが面倒である。また、台座のベース部が筒状広告体の下端外側に露出されるので、広告体として、外観もすっきりとはならない。
【０００７】
本考案は、このような事情を考慮して提案されたもので、その目的は、筒状広告体を内方より簡易に保形支持でき、分解、組立を繰り返すことなく搬送でき、かつ広告体としてすっきりとした外観形状に形成できるポップアップ広告体を提供することにある。
【課題を解決するための手段】
【０００８】
上記目的を達成するために、請求項１に記載のポップアップ広告体は、外面に広告情報を記して成る筒状広告体と、弾性体を有して該筒状広告体の内部空間内に収蔵され、該筒状広告体を内方から保形支持するようにした内部保形支持体とを組み合わせて構成されたホップアップ広告体であって、内部保形支持体は、それぞれの板片を折り曲げて形成した1組の筒体の一側面同士の一部を固定して形成された筒形構造体となっており、1組の筒体の一側面は、それぞれの板片の側端間に弾性体を掛け渡して、伸縮変形可能な芯板を構成しており、該弾性体の弾性力に抗して押圧保持することで該芯板が伸長して内部保形支持体を薄板状に変形可能としていることを特徴とする。
【０００９】
請求項２に記載のポップアップ広告体は、芯板がそれぞれの板片の両側端の上下方向のずれを規制する、ずれ規制部をさらに備えた構成となっている。
【００１０】
請求項３に記載のポップアップ広告体は、筒状広告体の内部空間内に複数の内部保形支持体が収蔵される構成となっている。
【００１１】
請求項４に記載のポップアップ広告体は、筒形構造体の対向する頂点部のそれぞれに支持脚を更に設けた形状にしている。
【００１２】
請求項５に記載のポップアップ広告体は、弾性体が輪ゴムで構成されている。
【考案の効果】
【００１３】
本考案のポップアップ広告体によれば、使用時には弾性体の弾性力を作用させて所定形状の筒形構造体に保形支持でき、筒状広告体を自立させたり、吊るしたりして使用できる。また、使用しないときには、弾性力に抗する方向に押圧することで筒形構造体を薄板状に変形させることができるので、内部保形支持体をポップアップ広告体に収蔵させた状態で折り畳んでコンパクトな状態にすることができ、梱包、搬送時などにかさばることがない。さらに、内部保形支持体が筒状広告体の内部に収蔵され、隠れる構成であるため、広告体として外観もすっきりとした形状に形成できる。
【００１４】
また、内部保形支持体を１組の板片で形成するようにしているので、筒状広告体の内部空間内に収蔵しないときには、それらを分離させておくことができ、保管する際に便利である。また、内部保形支持体を同形状、同寸法の１種の板片で構成できるため、材料の在庫管理を簡易化できる。
【００１５】
請求項２に記載のポップアップ広告体によれば、芯板を構成する板片の両側端を、ずれ規制部で上下方向にずれないようにしているので、内部保形支持体に取り付けた弾性体が筒状広告体の内部空間内で外れて、内部保形支持体が形状保持できなくなることを防止できる。
【００１６】
請求項３に記載のポップアップ広告体によれば、筒状広告体の内部空間内に複数の内部保形支持体が収蔵される構成となっているため、長尺の筒状広告体にも対応できる。また、複数の内部保形支持体のそれぞれを薄板状に変形できるので、ポップアップ広告体の折り畳みを確実に行える。
【００１７】
請求項４に記載のポップアップ広告体によれば、筒形構造体の対向する頂点部のそれぞれに支持脚を設けているので、支持脚を筒状広告体の高さ方向に長く形成すれば、より安定的に筒状広告体を保形支持できる。
【００１８】
請求項５に記載のポップアップ広告体によれば、弾性体が輪ゴムで構成されているので、内部保形支持体を簡単に形成できる。
【図面の簡単な説明】
【００１９】
【図１】本考案のポップアップ広告体を説明する斜視図である。
【図２】ポップアップ広告体の内部保形支持体の斜視図である。
【図３】（ａ）、（ｂ）は、それぞれが図２に示した内部保形支持体の状態変化を示す平面図、突合せ嵌合部の拡大平面図である。
【図４】内部保形支持体を構成する板片の展開図である。
【図５】板片で形成される筒構造体（三角形）の斜視図である。
【図６】筒形構造体の他例を示す斜視図である。
【考案を実施するための形態】
【００２０】
以下に、本考案の実施形態について、添付図面を参照しながら説明する。
【００２１】
ポップアップ広告体１は、図１に示すように、外面に広告情報を記して成る変形自在な筒状広告体３と、弾性体３０を有して筒状広告体３の内部空間内に収蔵されて、筒状広告体３を内方から保形支持する一方、弾性体の弾性力に抗して押圧保持することで薄板状に変形可能とした内部保形支持体２とを組み合わせて構成されている。第１、第２実施形態では、後述するように、内部保形支持体２が異なる特徴を有している。
【００２２】
筒状広告体３は布、紙または軟質樹脂材等、柔軟な素材で形成され、その外面に広告情報が記されている。広告情報は、筒状広告体３の外面に印刷したり、シールを貼り合わせた態様に限定されず、ＬＥＤなどを設けて照明、点灯できるように構成してもよい。また、筒状広告体３は以下では円筒形状のものを例示しているが、角筒形状のものであってもよい。
【００２３】
一方の内部保形支持体２は、ボール紙、硬質樹脂等、所定の折り曲げ箇所以外では容易に変形しない板材で形成されている。段ボールパネル、例えば、ニチエ社の製品、ＮＤボードやプラスチックダンボール、アルポリなどのアルミニウム板を用いたボードで構成することが軽量で丈夫であり望ましい。
【００２４】
筒状広告体３が柔軟な素材で構成されている場合には、図１の右端に示したように、内部保形支持体２をその内部に収蔵させた状態で折り畳めば、内部保形支持体２も薄板状態に畳み込むことができ、折り畳んだ筒状広告体３を元にもどせば、そこに内蔵した内部保形支持体２も元の筒状構造体に復帰するので、筒状広告体３をホップアップさせることができる。
【００２５】
図２〜図６は、本考案のポップアップ広告体の実施形態の説明図である。
【００２６】
ポップアップ広告体１に使用される内部保形支持体２は、図２、図３に示すように、２枚の板片１０、１０により形成された１組の三角形２０、２０（筒体）を組み合わせて１つの筒形構造体としたもので、それら三角形２０、２０は底辺部２１、２１（筒体の一側面）同士が重ね合わされ、底辺部２１、２１が伸縮可能なように対向する一部が固着されている。
【００２７】
板片１０の各々は、底辺部２１と、２つの斜辺部２５、２５とで構成され、３箇所に折曲部２６、２６、２６を設けて平面視三角形に形成されるようになっている（図４参照）。これらのうち三角形２０の頂点部２４に相当する折曲部２６には倒横Ｈ字形の支持脚３１を取り付けている。なお、折曲部２６は、折り曲げやすくするために図例のように折り曲げ線を形成しておくことが望ましい。
【００２８】
それぞれの三角形２０の底辺部２１は、一方に突部２２a、他方に凹部２２ｂを形成した突合せ嵌合部２２を設け、長手方向に弾性体として輪ゴム３０を架け渡して突部２２aを、凹部２２ｂに嵌合させる構造となっている。また、それぞれの三角形２０、２０の底辺部２１、２１同士は、それぞれの端部を他方の端部に固着しており、これによって、重合された底辺２０，２０が伸縮できるようになっている。
【００２９】
すなわち、内部保形支持体２は、図３（ｂ）に示すように、三角形２０、２０のそれぞれの頂点部２４、２４を相互に接近させる方向に両側から押圧保持した（図の→参照）ときには、突合せ嵌合部２２の突部２２aと凹部２２ｂとが輪ゴム３０の弾性力に抗して離れ、そのため、偏平な薄板状態に変形されるが、押圧保持が解除されたときには、図３（ａ）に示すように、輪ゴム３０の復元力によって、突合せ嵌合部２２が嵌合状態に復帰する。なお、輪ゴム３０は複数のものを連ねたものを使用してもよいし、輪ゴム３０に代えてゴムひもを使用してもよい。
【００３０】
こうして、１組の三角形２０、２０の重合状態にある底辺部２１、２１は、内部保形支持体２をパンタグラフ様に変形自在とさせる、伸縮変形可能な芯板Ａを構成する。
【００３１】
また、三角形２０の頂点部２４には板片１０の幅寸法よりも大きな倒横Ｈ字形の支持脚３１が設けられており、これによって、筒状広告体１を内部より突っ張るようにして保形する。この支持脚３１は、頂点部２４に相当する折曲部２６に予め取り付けておくことが望ましい。
【００３２】
このように形成した内部保形支持体２は、図１に示すように、変形していない状態で、外面に広告情報を記して成る筒状広告体３の内部空間内に収蔵しておくことで、外部からは隠されて見えることはなく、菱形柱状に形成された内部保形支持体２の４つの角部２ａが筒状広告体３の内面に接触して筒状広告体３を保形支持して、容易には変形しないポップアップ広告体１が構成される。なお、頂点部２４に設けた支持脚３１は、筒状広告体２の内面に接触させることで内部保形支持体２の位置ずれも防止できる。
【００３３】
また、内部保形支持体２は、図１に示すように、筒状広告体３の高さ寸法に応じて、複数個収蔵してもよい。
【００３４】
このように、ポップアップ広告体１は、内部保形支持体２が輪ゴム３０の復元力、および突合せ嵌合部２２の突合せによって元の構造体に復帰する構成となっているので、内部保形支持体２に力を加えない状態では筒状広告体３を内側から接触支持して、筒状広告体３を保形支持できる。その結果、ポップアップ広告体１が芯のない柔軟な素材であっても床面に自立させたり、提灯のように、天井などか吊り下げたりして使用できる。
【００３５】
特に、内部保形支持体２が輪ゴム３０の復元力によって復帰状態にあるときは、芯板Ａを構成する板片１０の両側端が上下方向にずれないように突合せ嵌合部２２がずれ規制部として作用するので、内部保形支持体２に取り付けた弾性体３０が筒状広告体１の内部空間内で外れて、内部保形支持体２が形状保持できなくなることをを防止できる。
【００３６】
さらに、内部保形支持体２は、押圧保持によって扁平状態に変形できるので、筒状広告体３に収容されたまま押圧保持することで、筒状広告体３とともに扁平状態に変形させることができ、さらにその状態でポップアップ広告体１を折り畳むことでコンパクトな形状に形成でき、内部保形支持体２が弾性復帰しないように固定しておけば、省スペースで保管でき、搬送も容易に行える。
【００３７】
また、内部保形支持体２は輪ゴム３０の弾性力に抗して扁平状態に変形されるので、筒状広告体３を折り畳んだ状態から展開させるだけで容易に立体状態に復帰させることができる。
【００３８】
このように、内部保形支持体２を筒状広告体３に収蔵し一体化した状態で変形、形状復帰できるので、広告体としての使用と、不使用時の保管とを繰り返す場合でも、分解、組立を繰り返すことなく、いったん内部保形支持体２を筒状広告体３に収蔵した後は、一体として取り扱うことができる。
【００３９】
また、ポップアップ広告体１は内部保形支持体２が筒状広告体３に収蔵され、隠されているので、筒状広告体３の外面以外は外部に露出されず、自立させる場合も、吊り下げる場合も、広告体としてすっきりとさせることができる。
【００４０】
さらに、内部保形支持体２は変形が自在であるから、寸法の多少異なる種々の筒状広告体にも使用できる。
【００４１】
ついで、内部保形支持体２の詳細な構造について説明する。
【００４２】
それぞれの三角形２０は、１枚の板片１０より成り（図４参照）、その板片１０の両端を突き合わせることで底辺部２１が形成され、さらに３箇所で折り曲げることで構造体として形成される。上述したように、突合せ嵌合部２２は、一方が半円状の凸部２２ａで形成され、他方がその凸部２２ａと嵌合するような凹部２２ｂで形成されている。このように両端を嵌合させているので、上下方向にずれが発生することはない。
【００４３】
この底辺部２１における突合せ嵌合は、輪ゴム３０の弾性力によって保持されており、上述したように、三角形をその頂点部２４から押しつぶすように押圧すると、突合せ嵌合が解除され、突合せ嵌合部２２は離れるが、輪ゴム３０の弾性復帰力（引っ張り力）が作用しているので、押圧保持を停止すれば元の嵌合状態に復帰する（図２の状態変化を示す平面図および１点鎖線で囲んだ突合せ嵌合部２２の拡大平面図参照）。
【００４４】
より具体的には、輪ゴム３０はそれぞれの嵌合部（凸部２２ａと凹部２２ｂ）よりも（板片１０の）中央側に形成した切込み部２３間に輪ゴム３０を架け渡して、突合せ嵌合部２２が離れないように弾性付勢させている。なお本例のように、切込み部２３は上下に形成して、上下で輪ゴム３０を架け渡すことが望ましい。
【００４５】
こうして同一形状の板片１０より形成された三角形の構造体２０を２つ形成し、それらの底辺部２１が分離しないように、それぞれの底辺部２１の両端同士を固着することで、輪ゴム３０の弾性動作を自在とした内部保形支持体２が形成される。なお、両面テープ、接着剤などで引き剥がさないと分離できないようにしてもよいが、平面ファスナーなどで取り外し自在に固定するようにしてもよい。また、２枚の板片１０は同一形状のものを使用しなくてもよく、すくなくとも底辺部２１が同期して摺動できるものであればよい。
【００４６】
三角形２０をこのように形成することで、１組の底辺部２１、２１の中央部が同期しながら、底辺部２１に伸張（突合せ嵌合の解除）、復帰動作をさせることができ、その結果、薄板状態への変形と、元の状態への復帰とが可能な内部保形支持体２を形成できる。
【００４７】
本実施形態では、上記のように内部保形支持体２を２枚の板片１０で形成するようにしているので、筒状広告体３の内部空間内に収蔵しないときには、２つの三角形２０を分離しておくことができ、そのため保管する際に便利である。また上記の例のように、内部保形支持体２を同形状、同寸法の１種の板片１０を２枚使用して構成すれば、在庫管理を簡易化することもできる。
【００４８】
上記の例では、三角形２０の底辺部２１は板片１０の両端を突合せ嵌合するようにしているが、図６の他例に示したように、両端が重なり合い相互摺動できるような重合部２７を形成したものでもよい。この重合部２７を構成する板片１０の両端の一方には、輪ゴム３０の復帰弾性力による摺動を当て止めするストッパとして突起２７ａが形成されている。なお、突起２７ａを設けずに、底辺部２１の一方側の折曲部２６の内側隅部で板片１０の端部を当て止めするようにしてもよい。
【００４９】
こうして、三角形２０の重合部２７を有した底辺部２１に、さらに１つの三角形を組み合わせて底辺部を重合、固定することで、内部保形支持体２をパンタグラフ様に変形自在とするための伸縮変形可能な芯板を構成することができる。
【００５０】
また、一方端の板片１０の幅方向の両端には、摺動時の上下方向のずれを防止するためのずれ規制部としてガイド片２８が設けられている。なお、内部保形支持体２の他の構成部については図１と同一の符号を付して、その説明を省略する。
【００５１】
上記第１実施形態の２例では、筒形構造体を構成する１組の筒体として三角形の構造体２０を例示したが、他の角形、丸形形状のものでもよい。すくなくとも１組の筒体の一側面が平坦面を形成し、それらを組み合わせることで伸縮変形可能な芯板Ａとして作用し得るものであればよい。
【００５２】
以上では、内部保形支持体２を構成する筒形構造体を１組の三角形筒体の組み合わせで形成したものを示したが、半円筒体、他の多角形筒体を組み合わせた構造体で構成してもよい。
【符号の説明】
【００５３】
１      ポップアップ広告体
２      内部保形支持体
２ａ      角部
３      筒状広告体
Ａ      芯板
Ｂ      枠体
１０      板片
２０      三角形
２１      底辺部
２２      突合せ嵌合部（ずれ規制部）
２３      切込み部
２３Ａ      切込み片
２４      頂点部
２５      斜辺部
２６      折曲部
２７      重合部
２８      ガイド片（ずれ規制部）
３０      輪ゴム（弾性体）
３１      支持脚
【図１】
0003163481.tif 000003
【図２】
0003163481.tif 000004
【図３】
0003163481.tif 000005
【図４】
0003163481.tif 000006
【図５】
0003163481.tif 000007
【図６】
0003163481.tif 000008